(57)【要約】【課題】画素電極を構成する電極部材間からの電界漏れによる液晶分子の配向乱れが防止可能で、これにより光漏れのない表示特性の良好な液晶表示装置、および電子機器を提供する。【解決手段】走査線５、信号線７、および電源線９などの配線を覆う絶縁膜上に画素電極１１が設けられ、この画素電極との間に液晶層を挟持して共通電極が設けられた液晶表示装置である。そして特に、各画素電極１１は、枠状の連結電極１１ａを有し、その枠内に連結電極１１ａに接続支持された電極部１１ｂを平行に配列してなる。また連結電極１１ａは、走査線５、信号線７、および電源線９上に重ねて配置される。【選択図】図２
2010169714.tif 000002
【特許請求の範囲】
【請求項１】
枠状の連結電極の枠内に当該連結電極に接続支持された電極部を平行に配列してなる複数の画素と、
前記複数の画素電極に対して絶縁性を保って設けられた共通電極とを備えた
液晶表示装置。
【請求項２】
前記画素電極を駆動するための薄膜トランジスタに接続された配線が、前記共通電極との間に前記画素電極を挟んだ位置に絶縁膜を介して配置され、
前記配線に重ねて前記画素電極の連結電極が配置されている
請求項1記載の液晶表示装置。
【請求項３】
前記配線は信号線である
請求項２に記載の液晶表示装置。
【請求項４】
前記画素電極が配列された基板と、前記共通電極が設けられた対向基板との間に、液晶層が配置された
請求項１〜３の何れかに記載の液晶表示装置。
【請求項５】
前記画素電極は、前記電極部の延設方向が異なる複数の領域を有する
請求項１〜３の何れかに記載の液晶表示装置。
【請求項６】
前記領域間にはスリットが設けられている
請求項５記載の液晶表示装置。
【請求項７】
前記画素電極によって駆動される液晶分子は負の誘電異方性を有する
請求項１〜６の何れかに記載の液晶表示装置。
【請求項８】
前記画素電極を覆う配向膜はプレチルト角が８９．５°以下である
請求項７に記載の液晶表示装置。
【請求項９】
前記画素電極のうち隣接して配置される複数の画素で１つの単位画素を構成している
請求項１〜８の何れか１項に記載の液晶表示装置。
【請求項１０】
前記画素電極を駆動するための薄膜トランジスタに接続された配線が、前記共通電極との間に前記画素電極を挟んだ位置に絶縁膜を介して配置され、
前記単位画素を構成する複数の画素が異なる閾値で駆動され、これら複数の画素のうち低い閾値で駆動される画素における画素電極の連結電極は、少なくとも一部の前記配線に対してずらした位置に配置されている
請求項９に記載の液晶表示装置。
【請求項１１】
枠状の連結電極の枠内に当該連結電極に接続支持された電極部を平行に配列してなる複数の画素と、当該複数の画素電極に対して絶縁性を保って設けられた共通電極とを有する表示パネルを備えた
電子機器。
【発明の詳細な説明】
【技術分野】
【０００１】
本発明は液晶表示装置および電子機器に関し、複数の微細な電極部を配列してなる画素電極を有する液晶表示装置およびこれを表示パネルとして用いた電子機器に関する。
【背景技術】
【０００２】
アクティブマトリクス型の液晶表示装置の一つとして、画素電極にスリットを設けることにより、液晶分子が傾く方向を分散させて視野角特性の向上を図るマルチドメインバーチカルアラインモード（Multi Vertically Aligned：ＭＶＡモード）が提案されている。
【０００３】
このようなＭＶＡモードの液晶表示装置の画素電極は、例えば水平方向に平行な中心線およびこれと垂直方向に平行な中心線を境界として４つの領域に分割されている。各領域においては、直交する中心線に対応して配置された電極部分から４方向に向かってスリットが延設され、画素電極の外周にスリットを連通させた構成となっている（例えば下記特許文献１参照）。
【先行技術文献】
【特許文献】
【０００４】
【特許文献１】特開２００６−１８９６１０号公報（図１、図３および対応記載部分参照）
【発明の概要】
【発明が解決しようとする課題】
【０００５】
しかしながら、以上のようなＭＶＡモードの液晶表示装置においては、画素電極に重なる状態で、信号線、走査線、および電源線などのバスラインが配置される。このため、スリット部分からバスラインの電界が漏れて液晶分子の配向に影響を及ぼし、黒状態での光漏れなど表示上不具合が発生していた。特に、全面黒表示の中に、中央のみ白四角表示を行うと、この白四角の上下の黒領域がやや明るくなるクロストークの発生が大きな問題となる。
【０００６】
そこで本発明は、画素電極を構成する電極部材間からの電界漏れによる液晶分子の配向乱れが防止可能で、これにより光漏れのない表示特性の良好な液晶表示装置、および電子機器を提供することを目的とする。
【課題を解決するための手段】
【０００７】
このような目的を達成するための本発明の液晶表示装置は、複数の画素電極と、複数の画素電極に対して絶縁性を保って設けられた共通電極とを備えている。そして特に、各画素電極は、枠状の連結電極を有し、その枠内に当該連結電極に接続支持された電極部を平行に配列してなることを特徴としている。
【０００８】
また本発明の電子機器は、このような構成の画素電極と共通電極とを有する液晶パネルを備えたことを特徴としている。
【０００９】
このような構成の液晶表示装置では、画素電極が複数の電極部を平行に配列した構成であるため、画素電極に電圧を印加することにより、電極部の延設方向に揃えて負の誘電異方性を有する液晶分子が倒される。各画素電極は、複数の電極部を接続支持するための枠状の連結電極を備えている。このため、画素電極を駆動するための薄膜トランジスタに接続された配線を枠状の連結電極に重ねて配置することで、配線に対して連結電極がシールドとなり、配線の電圧に起因する電界が画素電極の電極部−電極部間のスリットから漏れ出すことが防止される。
【発明の効果】
【００１０】
以上説明したように本発明によれば、スリットからの電界漏れが防止できるため、この電界漏れに起因する、液晶分子の配向乱れおよび配向乱れによる光漏れのない表示特性の良好な液晶表示装置、および電子機器を得ることが可能である。
【図面の簡単な説明】
【００１１】
【図１】実施形態の液晶表示装置の回路構成の一例を示す図である。
【図２】第１実施形態の液晶表示装置１のレイアウトの一例を示す図である。
【図３】図２におけるＡ−Ａ’断面に対応する概略断面構成図である。
【図４】全面黒表示の中央のみ白四角とする画像を表示領域に表示させた場合に得られた画像である。
【図５】第２実施形態の液晶表示装置１のレイアウトの一例を示す図である。
【図６】本発明に適用される画素電極の変形例を示す各平面図である。
【図７】本発明が適用されるテレビを示す斜視図である。
【図８】本発明が適用されるデジタルカメラを示す図であり、（Ａ）は表側から見た斜視図、（Ｂ）は裏側から見た斜視図である。
【図９】本発明が適用されるノート型パーソナルコンピュータを示す斜視図である。
【図１０】本発明が適用されるビデオカメラを示す斜視図である。
【図１１】本発明が適用される携帯端末装置、例えば携帯電話機を示す図であり、（Ａ）は開いた状態での正面図、（Ｂ）はその側面図、（Ｃ）は閉じた状態での正面図、（Ｄ）は左側面図、（Ｅ）は右側面図、（Ｆ）は上面図、（Ｇ）は下面図である。
【発明を実施するための形態】
【００１２】
以下、本発明の各実施の形態を以下の順序で説明する。
１．第１実施形態（画素電極を構成する連結電極を配線に重ね合わせた例）
２．第２実施形態（画素電極を構成する連結電極の一部を配線とずらした例）
３．実施形態の変形例（画素電極の形状のバリエーション）
【００１３】
＜１．第１実施形態＞
［液晶表示装置の回路構成］
図１は、実施形態の液晶表示装置１の回路構成の一例を示す図である。先ずこの図に基づいて、液晶表示装置１の回路構成を説明する。
【００１４】
図１に示す液晶表示装置１において、基板３上には、表示領域３ａとその周辺領域３ｂとが設定されている。表示領域３ａには、複数の走査線５が第１の方向（ここでは水平方向）に配線され、複数の信号線７が第２の方向（こでは垂直方向に）に配線され、さらに１本の走査線５を挟む状態で２本の共通配線９が配線されている。そして、走査線５−共通線９および２本の信号線７で囲まれた部分に対応して１つの画素ａが設けられた画素アレイ部を構成している。一方、周辺領域３ｂには、走査線５を走査駆動する走査線駆動回路５ｂと、輝度情報に応じた映像信号（すなわち入力信号）を信号線７に供給する信号線駆動回路７ｂとが配置されている。
【００１５】
各画素ａには、例えばスイッチング素子としての薄膜トランジスタＴｒおよび保持容量Ｃｓからなる画素回路が設けられ、さらにこれらの画素回路に画素電極１１が接続された構成となっている。尚、画素電極１１は、以降に平面図および断面図を用いて詳細に説明するように、画素回路を覆う層間絶縁膜上に設けられていることとする。
【００１６】
各薄膜トランジスタＴｒは、ゲート電極が走査線５に接続され、ソース電極が信号線７に接続され、ドレイン電極が保持容量Ｃｓと画素電極１１とに接続されている。ここで、走査線５を挟んで配置された各画素ａの薄膜トランジスタＴｒは、この走査線５を共有する状態でゲート電極を接続させている。また容量素子Ｃｓのもう一方の電極は、共通配線９に接続されている。尚、共通配線９は、ここでの図示を省略した対向基板側の共通電極に接続されている。
【００１７】
これにより、薄膜トランジスタＴｒを介して信号線７から書き込まれた映像信号の電圧が各画素電極１１に供給される構成となっている。また同時に、保持容量Ｃｓにも同一の電圧が保持される。
【００１８】
以上のような画素回路の構成は、あくまでも一例であり、必要に応じて画素回路内に容量素子を設けたり、さらに複数のトランジスタを設けて画素回路を構成しても良い。また、周辺領域２ｂには、画素回路の変更に応じて必要な駆動回路を追加しても良い。
【００１９】
［液晶表示装置のレイアウト］
図２は、第１実施形態の液晶表示装置１のレイアウトの一例を示す図であり、水平方向に３画素、垂直方向に２つのサブ画素で構成された１画素の合計３画素分を示している。さらに図３は、図２におけるＡ−Ａ’断面に対応する概略断面構成図である。尚、図１と同一の構成要素には同一の符号を付している。
【００２０】
これらの図に示すように、ガラス基板などからなる基板３上の第１層目には、アルミニウムなどの導電性に優れた材料を用いて構成された走査線５と共通配線９とが、第１の方向（ここでは水平方向）に順次配線されている。これらの走査線５は、２本の共通配線９間に１本の走査線５を順次配置されている。
【００２１】
各走査線５は、水平方向に延設され、各画素ａ部分において薄膜トランジスタＴｒのゲート電極５ｇとしてパターニングされている。また、各共通配線９は、水平方向に延設され、各画素ａ部分においては図１に示した補助容量素子（Ｃｓ）の下部電極として設けられている。
【００２２】
以上のようなゲート電極５ｇを含む走査線５および共通配線９は、断面図のみに図示したゲート絶縁膜１３で覆われている。
【００２３】
このゲート絶縁膜１３上の第２層目には、ゲート電極５ｇに積層される位置に薄膜トランジスタＴｒの活性領域となる半導体層１５が設けられている。
【００２４】
半導体層１５が設けられたゲート絶縁膜１３上には、信号線７、薄膜トランジスタＴｒのソース電極７ｓおよびドレイン電極７ｄが設けられている。このうちソース電極７ｓは信号線７から延設されたものであり、各画素部分において半導体層１５に重ねられている。これらの信号線７、ソース電極７ｓ、およびドレイン電極７ｄは、アルミニウムなどの導電性に優れた材料を用いて構成されている。
【００２５】
以上のような半導体層１５、信号線７、ソース電極７ｓ、およびドレイン電極７ｄを覆う状態で、断面図のみに図示したオーバーコート層（膜厚２μｍ）や平坦化絶縁膜等の絶縁膜１７が設けられている。
【００２６】
そして、この絶縁膜１７上の第３層目には、ＩＴＯのような透明導電性材料からなる画素電極１１が配列形成されている。各画素電極１１は、層間絶縁膜１７に設けた接続孔を介して、ドレイン電極７ｄに接続されている。また共通配線９を下部電極としてこの上部に画素電極１１が重なる部分が、図１に示した容量素子（Ｃｓ）として構成される。
【００２７】
ここで特に本第１実施形態においては、各画素電極１１が、枠状の連結電極１１ａと、これに支持された複数の電極部１１ｂとで構成されているところが特徴的である。
【００２８】
このうち枠状の連結電極１１ａは、画素電極１１の外形に沿って形成され、走査線５、信号線７、および共通配線９など、画素電極１１を駆動するための薄膜トランジスタＴｒに接続された配線に絶縁膜（図３参照）を介して重ねて配置されている。これらの配線５，７，９と連結電極１１ａとの重ね合わせは、連結電極１１ａの内周側に配線５，７，９が配置されないことが好ましい。また、信号線７と同一材料で構成されたソース電極７ｓおよびドレイン電極７ｄに対しても、連結電極１１ａが重ね合さていても良い。尚、連結電極１１ａの形状は、完全に閉じられた枠状で有ることが好ましいが、枠の一部にスリットが設けられていても良い。
【００２９】
また、電極部１１ｂは、連結電極１１ａに接続支持された状態で、連結電極１１ａの枠内に配列される。この電極部１１ｂは、いわゆる櫛歯状電極として構成され、所定の間隔で平行に配置され、これにより後に説明する液晶分子ｍが電極部１１ｂにほぼ沿って配向する構成となっている。
【００３０】
これらの電極部１１ｂは、画素電極１１を水平方向に平行な中心線およびこれと垂直方向に平行な中心線を境界として分割した４つの領域において、中心線に対して４５°を保った異なる４方向に延設されている。この場合、各領域においては、連結電極１１ａの内周縁から画素電極１１の中心に向かって各電極部１１ｂが延設された状態となる。またこれにより、画素電極１１は、電極部１１ｂの延設方向が異なる４つの領域ａ１，ａ２，ａ３，ａ４を有する構成となっている。これにより、後に説明する液晶分子ｍの配向方向を４方向に分割されたマルチドメイン構成となる。
【００３１】
画素電極１１を分割する４つの領域においては、電極部１１ｂをラインとしたライン:スペース＝１：１程度で、ライン+スペース＝４〜１０μｍ程度である。一例としては、ライン+スペース＝８μｍである。
【００３２】
また、画素電極１１を分割する４つの領域の電極部１１ｂは、各領域の境界となる画素電極１１の中心線の位置に設けたスリットＳによって分離されていることとする。これにより、スリットＳが後に説明する液晶分子ｍが配向する際の配向核となり、配向分割の安定化が図られる。
【００３３】
以上のような画素電極１１は、配向膜１９で覆われている。この配向膜１９は、垂直配向膜であって、高速応答を行うためにプレチルトが付与されていることが好ましい。具体的には、ＰＳＡ(Polymer-Sustained Aligment)を用いた方法や、光配向や、マスクラビングなどによりプレチルトを付与する。ここであ、例えばプレチルト角が８９．５°以下の垂直配向膜であることが好ましく、例えば膜厚約０．１μｍ程度の配向膜１９とする。また、プレチルト角の方位角方向は、例えば信号線７と４５°づれた方向であることとする。
【００３４】
また、以上のような駆動側の基板３における画素電極１１の形成面側には、断面図のみに図示した対向基板２１が設けられている。この対向基板２１の画素電極１１に向かう面上には、ブラックマトリックス２３、各色のカラーフィルタ２５ｒ，２５ｇ，２５ｂが設けられ、この上部に全画素に共通の共通電極２７が設けられている。
【００３５】
このうち、ブラックマトリックス２３は、水平方向および垂直方向の画素ａ−ａ間に対向してこれを覆う状態で配置される。これにより、ブラックマトリックス２３に設けれた開口がほぼ画素開口となる。このブラックマトリックス２３は、好ましくは走査線５、信号線７、および共通配線９を完全に覆うことが好ましい。そしてブラックマトリックス２３で区画された各画素ａに対応させて、各色のカラーフィルタ２５ｒ，２５ｇ，２５ｂが配列形成されていることとする。
【００３６】
このような共通電極２７は、配向膜２９で覆われている。この配向膜２９も、基板３側の配向膜１９と同様の垂直配向膜であって、プレチルトが付与されていることが好ましい。プレチルト角を傾ける方位角方向は、基板３側の配向膜１９に対して反平行であることとする。
【００３７】
そして断面図のみに示すように、基板３上の配向膜１９と、対向基板２１上の配向膜１９との間に、液晶層ＬＣが配置される。この液晶層ＬＣは、画素電極１１のオン／オフによって駆動される液晶分子ｍを含む。この液晶分子ｍは、負の誘電異方性を有するネガ型液晶（例えばΔｎ=０．８、Δε=−３)であることとする。
【００３８】
液晶層ＬＣが挟持された基板３−対向基板２１間の間隔は、例えば柱状のスペーサ３１を挟持させることで、所定の間隔（セルギャップ）に保たれていることとする。ここでは、電極部１１ｂの延設方向に長軸を平行にして液晶分子ｍを配向させた状態で、液晶層ＬＣにおよそλ／２（反射型の場合はλ／４）の位相差が生じるようにセルギャップが調整されていることとする。この場合、例えばレジスト材料からなる柱状のスペーサ３１を４μｍの高さで設けることで、セルギャップを調整する。
【００３９】
そして以上の基板３，２１の外側には、ここでの図示を省略した一対の偏向板がクロスニコルに配置され、さらに基板３側の偏向板の外側に、ここでの図示を省略したバックライトが配置されて液晶表示装置１を構成している。
【００４０】
このような液晶表示装置１は、画素電極１１と共通電極２７とが液晶層ＬＣを挟んで対向配置された構成であって、画素電極１１−共通電極２７間に発生させる縦電界によって液晶層ＬＣを駆動させる構成である。また、画素電極１１の基板３側に絶縁膜１７を介して配置された、薄膜トランジスタＴｒを有する画素回路および走査線５、信号線７、共通配線により、画素電極１１が駆動される構成となっている。
【００４１】
以上説明した実施形態の液晶表示装置１は、画素電極１１に対して電圧無印加時には、液晶分子ｍは配向膜１９，２９のプレチルト角に従い、基板３の基板面に対してほぼ垂直に配向するＶＡモードの液晶表示装置となる。そしてこの電界無印加時においては、基板３の外側に配置下バックライトからの光が、対向基板２１側の偏光板で吸収されて黒表示になる。
【００４２】
一方、画素電極１１が複数の電極部１１ｂを平行に配列した構成であるため、画素電極１１に対して電圧印加時には、電極部１１ｂの延設方向となる４方向に負の誘電異方性を有する液晶分子ｍが倒される。これにより、電極部１１ｂの延設方向に長軸を平行にして液晶分子ｍが配向し、液晶層ＬＣにおよそλ／２の位相差が生じさせて白表示が行われる。この際、液晶分子ｍは、異なる４方向に分割して配向するマルチドメイン構成であるため、視野角特性の向上が図られる。
【００４３】
そして特に本第１実施形態の液晶表示装置１では、各画素電極１１の外形が枠状の連結電極１１ａによって構成され、この連結電極１１ａが走査線５や信号線７や共通配線９に連結電極１１ａが重ねて配置された構成となっている。これにより、配線５，７，９に対して連結電極１１ａがシールドとなり、配線５，７，９に印加された電圧に起因する電界が、電極部１１ｂ−電極部１１ｂ間のスリットから画素電極１１−共通電極２７間に漏れ出すことを防止できる。このため、画素電極１１−共通電極２７間の縦電界が良好に維持され、電界漏れに起因する液晶分子の配向乱れとこれによる光漏れのない、コントラストの良好な表示特性を得ることが可能である。
【００４４】
尚、以上のような構成の液晶表示装置１においては、１本の走査線５を共有する２つの画素ａ（サブ画素）で１つの単位画素を構成して表示駆動を行なう構成であって良い。この場合、例えば信号線７方向に隣接して配置された２つの画素ａ（サブ画素）で１つの単位画素を構成する。
【００４５】
つの単位画素を構成する２つのサブ画素ａにおいては、画素電極１１が異なる大きさであっても良い。また、これらの２つのサブ画素は異なる電圧（閾値）で駆動されるマルチ画素構造とし、サブ画素の階調をそれぞれに調整してもよい。これにより、視野角正面方向および視野角斜め方向において、均等な輝度での表示が可能になり、視野角斜め方向で輝度が高くなる「しらっちゃけ現象」を改善できる。
【００４６】
図４（ａ）には、以上説明した構成の液晶表示装置１を駆動し、表示領域３ａに対して、全面黒表示Ｂの中央のみ白四角Ｗとする画像を表示させた結果を示す。尚、画素電極１１は、電極部１１ｂをラインとしたライン:スペース＝４μｍ：４μｍとした。配向膜１９，２９のプレチルト角は８９．５°、液晶層ＬＣにはネガ型 (Δｎ=0.8、Δε=−３) の液晶分子ｍを用いた。１つの単位画素を構成する２つのサブ画素画素用の画素電極１１は、同一形状であり同一の駆動電圧で駆動した。また表示領域３ａにおける画素数は、１９２０×１０８０のフルハイビジョンとした。
【００４７】
図４（ａ）に示すように、表示領域３ａには、全面黒表示Ｂの中央のみに白四角Ｗが表示され、白四角Ｗの周囲は光漏れのない黒に保たれていた。これにより、クロストークの発生が抑えられており、画素電極１１の電極部１１ｂ−１１ａ間から画素電極１１−共通電極２７間への電界漏れが防止されていることが確認された。
【００４８】
比較として図４（ｂ）には、枠状の連結電極を用いず、中央部で複数の電極部を連結して接続させた構成の画素電極を有する従来構成の液晶表示装置に、同じ表示を行なった場合に得られた画像を示す。この図に示すように、白四角Ｗの上下にはクロストークによりダークレベルが落ちたグレー領域Ａが見られ、画素電極１１−共通電極２７間への電界漏れによる光漏れが発生していることが分かる。
【００４９】
以上のようなクロストークは、主に信号線７に印加される電圧に起因している。したがって、本第１実施形態において説明したように、信号線７に対して画素電極１１の連結電極１１ａを重ね合わせることにより、クロストークの発生を防止することが可能である。
【００５０】
＜２．第２実施形態＞
図５は、第２実施形態の液晶表示装置１ａの特徴部のレイアウトの一例を示す図であり、水平方向に３画素、垂直方向に２つのサブ画素で構成された１画素の合計３画素分を示している。この図に示す本第２実施形態の液晶表示装置１ａが、第１実施形態の表示装置と異なるところは、一部の画素電極１１の連結電極１１ａを、配線５，７，９に重ね合わせない点にあり、他の構成は同様である。
【００５１】
すなわち、この液晶表示装置１ａは、１本の走査線５を共有する２つの画素ａ（サブ画素）で１つの単位画素を構成して表示駆動を行なうものであり、２つのサブ画素ａが異なる電圧（閾値）で駆動されるマルチ画素構造である。これらのサブ画素ａに設けられる各画素電極１１は、第１実施形態の画素電極１１と同様であって、連結電極１１ａと電極部１１ｂとで構成された形状であることとする。
【００５２】
そして特に、単位画素を構成する２つの画素ａのうち、より低閾値で駆動されるサブ画素ａの画素電極１１-Lにおける連結電極１１ａは、少なくとも一部の配線（例えば信号線７）に対して完全に重ならずにずらして配置されている。ここでは例えば、信号線７と同一方向に延設される２本の連結電極１１ａ部分を、この画素電極１１-Lの両側に配置された信号線７よりも内側に配置する。
【００５３】
このような構成の液晶表示装置１ａでは、画素電極１１の連結電極１１ａを配線５，７，９に重ねて配置したことにより、画素電極１１−配線５，７，９間に寄生容量が付き易い。特に低閾値で駆動されるサブ画素ａにおいては、信号線７−画素電極１１-L間の寄生容量が、画素電極１１-Lの駆動に影響を及ぼす。しかしながら、本第２実施形態においては、信号線７に対して画素電極１１-Lの連結電極１１ａの重なり幅が小さく抑えられているため、寄生容量の発生を抑えることが可能である。これにより、マルチ画素構造とした場合であっても、低閾値で駆動されるサブ画素ａを安定駆動することが可能になる。
【００５４】
＜変形例＞
図６には、本発明に適用される画素電極の変形例を示す各平面図である。
【００５５】
図６（１）の画素電極１１-1が、第１実施形態の画素電極（１１）と異なるところは、４つの領域ａ１〜ａ４に配置された電極部１１ｂが、各領域の境界部で連結されている点にある。このような構成であっても、第１実施形態と同ように、配線５，７，９に対して連結電極１１ａがシールドとなり、コントラストの良好な表示特性を得ることが可能である。
【００５６】
図６（２）の画素電極１１-2が、第１実施形態の画素電極（１１）と異なるところは、４つの領域ａ１〜ａ４に配置された電極部１１ｂの先端が、各領域の境界部において交互に配置されている点にある。このような構成であっても第１実施形態と同ように、配線５，７，９に対して連結電極１１ａがシールドとなり、コントラストの良好な表示特性を得ることが可能である。またさらにこのような構成であれば、画素電極１１内を分割した領域ａ１〜ａ４間で電極部１１ｂを分割してスリットＳを設けつつも、このスリットＳの幅を十分に小さくできる。これにより、スリットＳを液晶分子の配向核として配向分割の安定化を図りつつも、連結電極１１ａの枠内に電極部１１ｂを無駄無く敷き詰めて画素電極１１−共通電極間の縦電界を有効に発生させ、白透過率の向上が可能になる。
【００５７】
図６（３）の画素電極１１-3は、一方向に延設された電極部１１ｂのみで構成され、かつ各電極部１１ｂは両端で連結電極１１ａに連結されている。ここでは例えば走査線や信号線に対して４５°の角度をなす方向に電極部１１ｂが延設されていることとする。このような構成の画素電極１１-3を設けた液晶表示装置は、電極部１１ｂの延設方向に沿った一方向のみに液晶分子ｍが配向するモノドメイン構成となる。このような構成であっても第１実施形態と同ように、配線５，７，９に対して連結電極１１ａがシールドとなり、コントラストの良好な表示特性を得ることが可能である。尚、電極部１１ｂの延設方向は、走査線や信号線に沿った方向であっても良い。
【００５８】
図６（４）の画素電極１１-4は、一方向に延設された電極部１１ｂのみで構成され、かつ各電極部１１ｂは一端のみ連結電極１１ａに連結されており、中央部に設けたスリットＳによって２つの領域ａ１，ａ２に分割されている。ここでは例えば走査線と平行に電極部１１ｂが延設されていることとする。このような構成の画素電極１１-4を設けた液晶表示装置は、スリットＳを配向核として電極部１１ｂの延設方向に沿った二方向に液晶分子ｍが配向するマルチドメイン構成となる。このような構成であっても第１実施形態と同ように、配線５，７，９に対して連結電極１１ａがシールドとなり、コントラストの良好な表示特性を得ることが可能である。尚、電極部１１ｂの延設方向は、信号線に沿った方向、または走査線や信号線に対して４５°の角度をなす方向であっても良い。
【００５９】
図６（５）の画素電極１１-5は、図６（５）に示した画素電極（１１-4）の中央部に薄膜トランジスタのドレイン電極との接続を図るためのパッド部１１ｃを設けた構成である。このパッド部１１ｃは、複数の電極部１１ｂを介して連結電極１１ａに支持されていることとする。このような構成であっても第１実施形態と同ように、配線５，７，９に対して連結電極１１ａがシールドとなり、コントラストの良好な表示特性を得ることが可能である。また、パッド部１１ｃを液晶分子の配向核として配向分割の安定化を図ることもできる。この場合、パッド部１１ｃは、画素電極１１の中央に設けることが好ましい。ただし、このパッド部１１ｃを設ける位置は、画素電極１１-5の中央部に限定されることはなく、画素電極１１-5内であればどの部分であっても良い。例えば連結電極１１ａに直接支持される位置にパッド部１１ｃを設けても良い。また、このようなパッド部１１ｃは、上述した各実施形態および変形例の画素電極にも同様に設けることができる。
【００６０】
＜適用例＞
以上説明した本発明に係る液晶表示装置は、図７〜図１２に示す様々な電子機器の表示部に表示パネルとして用いることができる。例えば、デジタルカメラ、ノート型パーソナルコンピュータ、携帯電話等の携帯端末装置、ビデオカメラなど、電子機器に入力された映像信号や電子機器内で生成した映像信号を、画像として表示するあらゆる分野の電子機器の表示部に適用することが可能である。以下に、本発明が適用される電子機器の一例について説明する。
【００６１】
図７は、本発明が適用されるテレビを示す斜視図である。本適用例に係るテレビは、フロントパネル１０２やフィルターガラス１０３等から構成される映像表示画面部１０１を含み、その映像表示画面部１０１として本発明に係る表示装置を用いることにより作成される。
【００６２】
図８は、本発明が適用されるデジタルカメラを示す図であり、（Ａ）は表側から見た斜視図、（Ｂ）は裏側から見た斜視図である。本適用例に係るデジタルカメラは、フラッシュ用の発光部１１１、表示部１１２、メニュースイッチ１１３、シャッターボタン１１４等を含み、その表示部１１２として本発明に係る表示装置を用いることにより作製される。
【００６３】
図９は、本発明が適用されるノート型パーソナルコンピュータを示す斜視図である。本適用例に係るノート型パーソナルコンピュータは、本体１２１に、文字等を入力するとき操作されるキーボード１２２、画像を表示する表示部１２３等を含み、その表示部１２３として本発明に係る表示装置を用いることにより作製される。 
【００６４】
図１０は、本発明が適用されるビデオカメラを示す斜視図である。本適用例に係るビデオカメラは、本体部１３１、前方を向いた側面に被写体撮影用のレンズ１３２、撮影時のスタート／ストップスイッチ１３３、表示部１３４等を含み、その表示部１３４として本発明に係る表示装置を用いることにより作製される。
【００６５】
図１１は、本発明が適用される携帯端末装置、例えば携帯電話機を示す図であり、（Ａ）は開いた状態での正面図、（Ｂ）はその側面図、（Ｃ）は閉じた状態での正面図、（Ｄ）は左側面図、（Ｅ）は右側面図、（Ｆ）は上面図、（Ｇ）は下面図である。本適用例に係る携帯電話機は、上側筐体１４１、下側筐体１４２、連結部（ここではヒンジ部）１４３、ディスプレイ１４４、サブディスプレイ１４５、ピクチャーライト１４６、カメラ１４７等を含み、そのディスプレイ１４４やサブディスプレイ１４５として本発明に係る表示装置を用いることにより作製される。
【符号の説明】
【００６６】
１，１ａ…液晶表示装置（液晶パネル）、３…基板、５…走査線（配線）、７…信号線（配線）、９…共通配線（配線）、１１，１１-L，１１-1，１１-2，１１-3，１１-4，１１-5…画素電極、１１ａ…連結電極、１１ｂ…電極部、１７…絶縁膜、１９，２９…配向膜、２１…対向基板、２７…共通電極、ａ１〜ａ４…領域、ＬＣ…液晶層、ｍ…液晶分子、Ｓ…スリット、Ｔｒ…薄膜トランジスタ
【図１】
2010169714.tif 000003
【図２】
2010169714.tif 000004
【図３】
2010169714.tif 000005
【図４】
2010169714.tif 000006
【図５】
2010169714.tif 000007
【図６】
2010169714.tif 000008
【図７】
2010169714.tif 000009
【図８】
2010169714.tif 000010
【図９】
2010169714.tif 000011
【図１０】
2010169714.tif 000012
【図１１】
2010169714.tif 000013